(57)【要約】【課題】ボルトやナットの締め付けに際して操作上の障害となりにくいマーキング機構を備えるレンチを提供すること。【解決手段】レンチ１０はマーキング機構１２を含む。マーキング機構は、レンチのヘッド部１４に設けられた凹所２０、レンチのグリップ部１６に設けられた穴２２、並びに、グリップ部に設けられ凹所及び穴間を直線的に伸びかつ凹所及び穴にそれぞれ開放する一端及び他端を有する連通路２４を備える。凹所、穴及び連通路にはそれぞれマーカー２６、可動部材２８並びにマーカー及び可動部材を相互に連結する連結ロッド３０が連通路の伸長方向へ移動可能に配置されている。穴には、可動部材に対して連通路の一端から他端に向けての偏倚力を及ぼすばね部材３２が配置されている。【選択図】図１
2017209740.tif 000002
【特許請求の範囲】
【請求項１】
互いに平行な２面及び該２面に連なる他の１面に規定された口を有するヘッド部及び該ヘッド部に連なるグリップ部を備えるレンチであって、
マーキング機構を含み、
前記マーキング機構は、
前記ヘッド部に設けられ該ヘッド部の他の一面に開放する凹所、前記グリップ部に設けられた穴、並びに、前記グリップ部に設けられ前記凹所及び前記穴間を直線的に伸びかつ前記凹所及び前記穴にそれぞれ開放する一端及び他端を有する連通路と、
前記凹所、前記穴並びに前記連通路にそれぞれ配置され前記連通路の伸長方向へ移動可能であるマーカー、可動部材並びに前記マーカー及び前記可動部材を相互に連結する連結ロッドと、
前記穴に配置され前記可動部材に対して前記連通路の一端から他端に向けての偏倚力を及ぼすばね部材とを備える、レンチ。
【請求項２】
前記マーカーはホルダに解除可能に保持され前記ヘッド部の口に面するインキ吸蔵体を備える、請求項１に記載のレンチ。
【発明の詳細な説明】
【技術分野】
【０００１】
本発明は、ボルトやナットを締め付けるレンチに関する。
【背景技術】
【０００２】
従来、締結具であるボルトやナットを用いて行う締結作業における個々のボルトやナットの締め忘れ防止のため、締め付けが完了したボルトやナットに印を付けるためのマーキング機構を備えるレンチが提案されている（特許文献１参照）。
【０００３】
従来のレンチのマーキング機構は、レンチのヘッド部に形成された孔と、互いにピン結合された２つのレバーとを備える。両レバーの一方はその自由端部においてヘッド部の孔に挿入され、また、両レバーの他方はその自由端部においてレンチのグリップ部に揺動可能に取り付けられている。ヘッド部の孔に挿入された一方のレバーの自由端部にはインキ含浸物質が充填されている。
【０００４】
従来のレンチによれば、レンチによるボルトやナットの締め付けを行った後、レンチの両レバーを相互に揺動させ、これによりヘッド部の孔内のインキ含浸物質を押し進め、これを前記ボルトやナットの周面に押し付け、インキの塗布痕からなる印を付けることができる。
【先行技術文献】
【特許文献】
【０００５】
【特許文献１】実開平５−４１６７４号公報
【発明の概要】
【発明が解決しようとする課題】
【０００６】
しかし、従来のレンチにあっては、マーキング機構を構成する両レバーがレンチの外部にあり、これらがボルトやナットの締め付け操作の障害となるという問題がある。
【０００７】
本発明の目的は、ボルトやナットの締め付けに際してその操作上の障害となりにくいマーキング機構を備えるレンチを提供することにある。
【課題を解決するための手段】
【０００８】
上記目的を達成するための実施形態は、互いに平行な２面及び該２面に連なる他の１面に規定された口を有するヘッド部及び該ヘッド部に連なるグリップ部を備え、また、マーキング機構を含むレンチに係る。前記マーキング機構は、前記ヘッド部に設けられ該ヘッド部の他の一面に開放するする凹所、前記グリップ部に設けられた穴、並びに、前記グリップ部に設けられ前記凹所及び前記穴間を直線的に伸びかつ前記凹所及び前記穴にそれぞれ開放する一端及び他端を有する連通路を備える。前記凹所、前記穴並びに前記連通路にはそれぞれマーカー、可動部材並びに前記マーカー及び前記可動部材を相互に連結する連結ロッドが前記連通路の伸長方向へ移動可能に配置されている。また、前記穴には、前記可動部材に対して前記連通路の一端から他端に向けての偏倚力を及ぼすばね部材が配置されている。
【図面の簡単な説明】
【０００９】
【図１】一実施形態に係るレンチの一部を示す斜視図。
【図２】一実施形態に係るレンチの一部を示す平面図。
【図３】図２の線３−３に沿って得た断面図。
【図４】図２の線４−４に沿って得た断面図。
【図５】ナットに対して締め付け操作を行っている状態にある、図１に示すレンチの部分平面図。
【図６】締め付け後のナットの周面にマーキングが施されている状態にある、図１に示すレンチの部分平面図。
【図７】印がつけられたナットの斜視図。
【発明を実施するための形態】
【００１０】
図１を参照すると、本発明の一実施例に係るレンチの一部が全体に符号１０で示されている。図示のレンチ１０は片口レンチからなる。レンチ１０は、該レンチを用いて締め付けを行ったボルトやナットの周面上にマーキングを施す（印を付ける）ためのマーキング機構１２を備える。
【００１１】
図１〜６に示すように、レンチ１０は全体に扁平状を呈し、ボルト（より正確にはその頭部）やナットの締め付けのためにこれらに回転力を及ぼすためのヘッド部１４及び該ヘッド部に連なるグリップ部１６を有する。
【００１２】
ヘッド部１４はボルトやナットを受け入れる口１８を有する。口１８は、これに受け入れられたボルトやナットの周面を構成する６面のうちの互いに相対する２面に当接する互いに平行な２面１４ａ、１４ｂと、該２面に連なる湾曲した他の１面１４ｃとにより規定されている。また、グリップ部１６は互いに相対する２つの平面１６ａ、１６ｂと、互いに相対する２つの側面１６ｃ、１６ｄとを有する。
【００１３】
マーキング機構１２は、ヘッド部１４に設けられた凹所２０と、グリップ部１６に設けられた穴２２と、グリップ部１６に設けられ凹所２０及び穴２２に連通する連通路２４とを備える。連通路２４は、凹所２０と穴２２との間を真直ぐに伸びかつその一端２４ａ及び他端２４ｂ（図２）において凹所２０及び穴２２にそれぞれ開放している。凹所２０と、穴２２と、連通路２４とには、それぞれ、マーカー２６と、可動部材２８と、連結ロッド３０及びばね部材３２とが配置されている。マーカー２６及び可動部材２８は連結ロッド３０を介して互いに連結されている。
【００１４】
ヘッド部１４に設けられた凹所２０はヘッド部１４の他の一面１４ｂにおいて開放し、口１８に面している。図示の例にあっては、凹所２０はさらにヘッド部１４の互いに相対する２つの平面１４ｄ、１４ｅにおいて開放している。この例に代えて、凹所２０はヘッド部１４の他の一面１４ｂにおいてのみ開放するものとすることができる。
【００１５】
凹所２０に配置されたマーカー２６は、ホルダ２６ａと、該ホルダに解除可能にすなわち取り外し可能に保持されたインキ吸蔵体２６ｂとからなる。図示のホルダ２６ａは全体にコ字形を呈し、口１８に向けて開放する開放部２６ａ１と該開放部に相対する閉鎖部２６ａ２（図２）とを有する。マーカー２６はそのホルダ２６ａの閉鎖部２６ａ２において連結ロッド３０の一端部３０ａ（図３）に固定されている。インキ吸蔵体２６ｂは例えばインキ含浸のスポンジからなり、必要に応じて交換することができる。
【００１６】
グリップ部１６に設けられた穴２２は、グリップ部１６を貫通しグリップ部１６の両平面１６ａ、１６ｂにおいて開放する貫通穴からなり、連通路２４の伸長方向へ伸びる矩形の平面形状を有する。
【００１７】
穴２２に配置された可動部材２８は、連通路２４の伸長方向に関する寸法である穴２２の長さより短い長さを有する。このことから、可動部材２８は穴２２の長さ方向（連通路２４の伸長方向）へ移動可能である。図示の可動部材２８は、グリップ部１６の両平面１６上にそれぞれ位置する一対の板状のフランジ部２８ａ、２８ｂ（図４）と、穴２２を貫通するブロック状のウエブ部２８ｃとからなる。両フランジ部の一方２８ａはウエブ部２８ｃに２つのねじ部材３４により固定されており、他方のフランジ部２８ｂはウエブ部２８ｃと一体をなしている。可動部材２８はそのウエブ部２８ｃにおいて連結ロッド３０の他端部３０ｂに固定されている（図３）。
【００１８】
図示の例では、連通路２４を経て穴２２内を伸びる連結ロッド３０の他端部３０ｂが、可動部材２８のウエブ部２８ｃに設けられた横穴３６（図３）に挿入され、比較的堅く嵌合している。この例に代えて、連結ロッド３０の他端部３０ｂと横穴３６とにそれぞれ互いに噛合可能であるねじ山とねじ溝（図示せず）とを設け、ウエブ部２８ｃに対して連結ロッド３０を螺合させ、これにより可動部材２８と連結ロッド３０とを相互に連結することができる。
【００１９】
可動部材２８は、その両フランジ部２８ａ、２８ｂの双方又は一方に指を当て、後記ばね力に抗する力（外力）を加えると、穴２２内を連通路２４に向けて移動する。このとき、両フランジ部２８ａ、２８ｂがそれぞれグリップ部１６の両平面１６ａ、１６ｂ上を摺動する。可動部材２８の移動により、連結ロッド３０が連通路２４内をヘッド部１４に向けて移動し、マーカー２６のホルダ２６ａ及びインキ吸蔵体２６ｂの一部が凹所２０から口１８内に押し出される。
【００２０】
図示の例においては、可動部材２８のウエブ部２８ｃの両側面２８ｃ１、２８ｃ２（図４）間の長さが、穴２２の両側壁面２２ａ、２２ｂの相互間隔よりわずかに大きいものに設定されている。このことから、可動部材２８は、そのウエブ部２８ｃにおいて、両側壁面２２ａ、２２ｂを案内面として円滑な移動が可能である。
【００２１】
図示のばね部材３２はコイルばねからなる。前記コイルばねは、穴２２の残りの他の両側壁面、すなわち連通路２４の伸長方向に相対する両側壁面２２ｄ、２２ｅ（図６）のうち、連通路２４の他端２４ｂが開放する一方の側壁面２２ｄと可動部材２８のウエブ部２８ｃとの間にあって、連結ロッド３０の他端部３０ｂの一部分の周囲を取り巻いている。
【００２２】
ばね部材３２は、可動部材２８に対して、連通路２４の一端２４ａから他端２４ｂ（図２）に向けての偏倚力（ばね力）を及ぼす。このため、可動部材２８は、前記外力を受けないとき、前記偏倚力を受けて穴２２の他方の側壁面２２ｅに押し付けられる（図５）。このとき、マーカー２６は、凹所２０内に位置する。
【００２３】
レンチ１０による例えばナット３８に対する締め付けは、マーカー２６がレンチ１０の凹所２０に収容された状態で行う（図５）。なお、図５において、符号４０は座金、符号４２はナット３８が螺合されたボルトを示す。
【００２４】
図６に示すように、ナット３８の締め付け後、可動部材２８を前記したように移動させる操作を行い、マーカー２６のインキ吸蔵体２６ｂをナット３８の周面に押し当てる。これにより、インキ吸蔵体２６ｂのインキがナット３８の周面３８ａの一部に塗布される。塗布されたインキの跡４４（図７）は、ナット３８が締め付けられた状態にあることを示す目視可能の印として機能する。
【００２５】
なお、グリップ部１６に設けられる穴２２は、これを貫通穴とする図示の例に代えて、有底の穴とすることができる。この場合には、可動部材２８を構成する両フランジ部２８ａ、２８ｂの一方例えばフランジ部２８ａを省略し、前記可動部材をフランジ部２８ｂとこれに連なるウエブ部２８ｃとからなり、かつ、フランジ部２８ｂとウエブ部２８ｃとがそれぞれグリップ部１６の一方の平面１６ａ及び前記有底の穴の底を摺動可能のものとすることができる。
【００２６】
また、穴２２は、グリップ部１６の両平面１６ａ、１６ｂにおいて開放する図示の例に代えて、グリップ部１６の両側面１６ｃ、１６ｄにおいて開放するものとすることができる。この場合、可動部材２８は、その両フランジ部２８ａ、２８ｂがそれぞれグリップ部１６の両側面１６ｃ、１６ｄにおいて摺動可能であるように構成される。
【００２７】
さらに、マーカー２６及び連結ロッド３０相互の連結態様並びに可動部材２８及び連結ロッド３０相互の連結態様として、図示の固定の例に代えて、グリップ部１６の両平面１６ａ、１６ｂに直交する軸線の回りのわずかな揺動を許すピン結合とすることができる。
【００２８】
さらに、マーカー２６が配置される凹所２０は、全体に矩形の平面形状を有する図示の例に代えて例えば半円形のような他の平面形状を有するものとすることができる。
【００２９】
さらに、本発明は両口レンチに適用することが可能である。この場合、両口のそれぞれについて、マーキング機構１２が設けられる。
【００３０】
以上、本実施形態によれば、ボルトやナットの締め付け後、マーキング機構１２の可動部材２８に対してばね部材３２の偏倚力に抗する外力を与え、穴２２内において可動部材２８を連通路２４の他端から一端に向けて移動させると、連結ロッド３０を介して、凹所２０内のマーカー２６がヘッド部１４の口１８内へと押しやられ、ヘッド部１４の口１８内にあるボルトやナットの周面に当接する。その結果、マーカー２６のインキの塗布痕（印）が締め付け完了後のボルトやナットの周面上に付される。
【００３１】
また、本実施形態にあっては、マーカー２６をヘッド部１４の口１８内に押しやるための可動部材２８及び連結ロッド３０がグリップ部１６内に形成された穴２２及び連通路２４に配置されている。このことから、可動部材２８及び連結ロッド３０は、レンチ１０のボルト又はナットの締め付け操作の障害となりにくい。
【００３２】
さらに、本実施形態によれば、マーカー２６はホルダ２６ａに保持されヘッド部１４の口１８に面するインキ吸蔵体２６ｂを備えるものとすることができる。このマーカー２６にあっては、インキ吸蔵体２６ｂの交換を容易に行うことが可能であるという効果を奏する。
【００３３】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１０…レンチ、１２…マーキング機構、１４…ヘッド部、１４ａ、１４ｂ、１４ｃ…面、１６…グリップ部、１８…口、２０…凹所、２２…穴、２４…連通路、２６…マーカー、２６ａ、２６ｂ…ホルダ及びインキ吸蔵体、２８…可動部材、３０…連結ロッド、３２…ばね部材。
【図１】
2017209740.tif 000003
【図２】
2017209740.tif 000004
【図３】
2017209740.tif 000005
【図４】
2017209740.tif 000006
【図５】
2017209740.tif 000007
【図６】
2017209740.tif 000008
【図７】
2017209740.tif 000009
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
互いに平行な２面及び該２面に連なる他の１面に規定された口を有するヘッド部及び該ヘッド部に連なるグリップ部を備えるレンチであって、
マーキング機構を含み、
前記マーキング機構は、
前記ヘッド部に設けられ該ヘッド部の他の一面に開放する凹所、前記グリップ部に設けられた穴、並びに、前記グリップ部に設けられ前記凹所及び前記穴間を直線的に伸びかつ前記凹所及び前記穴にそれぞれ開放する一端及び他端を有する連通路と、
前記凹所、前記穴並びに前記連通路にそれぞれ配置され前記連通路の伸長方向へ移動可能であるマーカー、可動部材並びに前記マーカー及び前記可動部材を相互に連結する連結ロッドと、
前記穴に配置され前記可動部材に対して前記連通路の一端から他端に向けての偏倚力を及ぼすばね部材とを備え、
前記可動部材は、前記グリップ部の上面である平面上に位置し、前記口方向への押圧操作によって当該平面に沿って移動可能であることを特徴とするレンチ。
【請求項２】
前記マーカーはホルダに解除可能に保持され前記ヘッド部の口に面するインキ吸蔵体を備える請求項１に記載のレンチ。
【手続補正２】
【補正対象書類名】明細書
【補正対象項目名】００１７
【補正方法】変更
【補正の内容】
【００１７】
穴２２に配置された可動部材２８は、連通路２４の伸長方向に関する寸法である穴２２の長さより短い長さを有する。このことから、可動部材２８は穴２２の長さ方向（連通路２４の伸長方向）へ移動可能である。図示の可動部材２８は、グリップ部１６の両平面１６ａ、１６ｂ上にそれぞれ位置する一対の板状のフランジ部２８ａ、２８ｂ（図４）と、穴２２を貫通するブロック状のウエブ部２８ｃとからなる。両フランジ部の一方２８ａはウエブ部２８ｃに２つのねじ部材３４により固定されており、他方のフランジ部２８ｂはウエブ部２８ｃと一体をなしている。可動部材２８はそのウエブ部２８ｃにおいて連結ロッド３０の他端部３０ｂに固定されている（図３）。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
互いに平行な２面及び該２面に連なる他の１面に規定された口を有するヘッド部及び該ヘッド部に連なるグリップ部を備えるレンチであって、
マーキング機構を含み、
前記マーキング機構は、
前記ヘッド部に設けられ該ヘッド部の他の一面に開放する凹所、前記グリップ部に設けられた穴、並びに、前記グリップ部に設けられ前記凹所及び前記穴間を直線的に伸びかつ前記凹所及び前記穴にそれぞれ開放する一端及び他端を有する連通路と、
前記凹所、前記穴並びに前記連通路にそれぞれ配置され前記連通路の伸長方向へ移動可能であるマーカー、可動部材並びに前記マーカー及び前記可動部材を相互に連結する連結ロッドと、
前記穴に配置され前記可動部材に対して前記連通路の一端から他端に向けての偏倚力を及ぼすばね部材とを備え、
前記可動部材は、前記グリップ部の両平面にそれぞれ位置する一対のフランジ部と、前記穴を貫通して前記フランジ部と固定されるとともに前記連結ロッドと連結されるウエブ部とを備え、前記フランジ部を前記口方向へ押圧操作することによって前記グリップ部の平面上を移動可能に構成されるであることを特徴とするレンチ。
【請求項２】
前記マーカーはホルダに解除可能に保持され前記ヘッド部の口に面するインキ吸蔵体を備える請求項１に記載のレンチ。